(57)【要約】【課題】見切り踊場併有遊技部品に設定された図柄始動部品への入賞可能性を安定させる。【解決手段】球飛入防止壁１１が球踊場６の前縁部または取付基盤２の前面から前側に突出した突起として設けられたので、ａ図において、実線で示す球Ｐが矢印Ｘ１で示すように第１連釘２８の上を図柄始動部品２６の方に流下して例えば隙間３１に落下しつつ第２連釘２９における最左側に位置する釘に衝突し、この衝突した球Ｐがａ図およびｂ図に示すように矢印Ｘ２で示すように球踊場６の方に向けて上方に跳ね返ったとしても、該球Ｐが球飛入防止壁１１に遮られて球踊場６に乗ることもなく、遊技盤２１を前側から見た場合、球飛入防止壁１１が画像表示器２５の画面を遮ることもなく、遊技盤２１が前側に突出するように反った場合、球飛入防止壁１１が前面パネル５８に接触し、遊技釘２７が前面パネル５８に接触せず、前面パネル５８に遊技釘２７の接触跡が付かない。【選択図】図１
2007222361.tif 000002
【特許請求の範囲】
【請求項１】
遊技盤に取り付けるための土台を構成する取付基盤と、遊技盤の裏側に配置された画像表示器の画面を遊技盤の前側から見えるようにする図柄視認部と、球を遊技盤の前面における遊技領域から図柄視認部の側に入らないように図柄視認部を囲むように取付基盤の前面から前側に突出する隔壁と、上に乗った球を左右に踊らせるように図柄視認部よりも下方で取付基盤から裏側に突出した球踊場と、遊技領域から球を取付基盤の裏側に誘導して球踊場に排出する球導入通路と、球踊場で踊る球を球踊場から下方の始動部品に向けて落下させる球排出通路と、球排出通路に取り込まれない球を球踊場から下方の始動部品を外れるように落下させる球落下部とを備えた見切り踊場併有遊技部品において、球の遊技領域から球踊場への飛び入りを防止するための球飛入防止壁が、球踊場の前縁部または取付基盤の前面から前側に突出した突起として設けられたことを特徴とするパチンコ遊技機の見切り踊場併有遊技部品。
【請求項２】
請求項１に記載された見切り踊場併有遊技部品と、見切り踊場併有遊技部品の取り付けられた遊技盤と、遊技盤が格納される可動枠と、可動枠の前側にヒンジで開閉可能に取り付けられた前扉と、遊技盤の遊技領域を前側から見せるために前扉に前後方向への貫通孔として設けられた窓と、窓を塞ぐように前扉の裏面に設けられた光透過性の有る前面パネルとを備え、前扉が可動枠に対して閉じられることによって、見切り踊場併有遊技部品の球飛入防止壁が前面パネルと対向する一方、遊技盤に前側に突出する反りが発生した場合、遊技盤に設けられた遊技釘が前面パネルに接触しないように、球飛入防止壁が前面パネルに接触することを特徴とするパチンコ遊技機。
【発明の詳細な説明】
【技術分野】
【０００１】
本発明は、見切り踊場併有遊技部品に設定された図柄始動部品への入賞可能性が安定するパチンコ遊技機および見切り踊場併有遊技部品に関する。
【背景技術】
【０００２】
パチンコ遊技機の遊技部品には、遊技部品の裏側に設けられる電気的な画像表示器の画面に対する見切り部材を構成する機能と、遊技盤に遊技領域から球を取り入れて下方の図柄始動部品に向けて落下させる踊場（ステージ）部材を構成する機能とを備えたものが知られている。この見切り部材および踊場部材としての機能を併有する遊技部品（以下、見切り踊場併有遊技部品と称する）は、センター飾り部品と呼ばれる。
【０００３】
図６を参照し、公知の見切り踊場併有遊技部品の構造について説明する。見切り踊場併有遊技部品１は、取付基盤２、図柄視認部３、隔壁４、球導入通路５、球踊場６、球排出通路７、球落下部８を備える。取付基盤２は、見切り踊場併有遊技部品１を遊技盤２１に取り付けるための土台を構成するものであって、ねじ挿入孔９を前後方向への貫通孔として備える。図柄視認部３は、画像表示器２５の表示画面を遊技機枠５１（図５参照）の前側から見えるようにする部分であって、取付基盤２の前面に形成された開口の周縁部から裏側に窪む奥行きの有る箱形であって、前側にだけ開口する。図柄視認部３の前側の開口と対応する背壁は、光を通す無色のような合成樹脂により構成される。図柄視認部３の前側の開口を囲む側壁は、有色で光を通さない合成樹脂により構成される。隔壁４は、球を遊技領域２３から隔壁４で囲まれた内側に入らないように、図柄視認部３の開口を囲むように取付基盤２の前面から前側に突出する。球導入通路５は、ワープ通路とも呼ばれ、遊技領域２３から球を取付基盤２の裏側に誘導して球踊場６に排出する。球踊場６は、ステージとも呼ばれ、球踊場６の上に乗った球を左右に踊らせる。球排出通路７は、球踊場６で踊る球を、球踊場６に開口した球入口から取付基盤２に開口した球出口に誘導し、該球を球出口から落下させる。球落下部８は、球排出通路７に取り込まれない球を、球踊場６から落下させる。
【０００４】
見切り踊場併有遊技部品１は、遊技盤２１に、次のように取り付けられる。遊技盤２１には、部品逃避孔２２が前後方向への貫通孔として設けられる。そして、図柄視認部３の背壁の裏面が遊技盤２１の遊技領域２３の側に向けられ、図柄視認部３や球踊場６などが遊技領域２３の前側から部品逃避孔に挿入され、取付基盤２の裏面が遊技領域２３に接触し、取付基盤２が部品逃避孔２２を覆い隠す。その後、木ねじやねじ釘のような釘２４が取付基盤２の前側からねじ挿入孔９を経由して遊技盤２１に締結される。これによって、見切り踊場併有遊技部品１が遊技盤２１に取り付けられ、球踊場６が遊技領域２３と直交しかつ遊技領域２３よりも後側に窪み、隔壁４や球導入通路５が遊技領域２３よりも前側に突出した形態になる。遊技盤２１の裏側には、画像表示器２５が設けられる。画像表示器２５は、液晶表示器からなる演出表示器を構成する。画像表示器２５の画面は、図柄視認部３の背壁の裏面と対向する。
【０００５】
遊技領域２３には、図柄始動部品２６や遊技釘２７が設けられる。図柄始動部品２６は、見切り踊場併有遊技部品１よりも下方であって、球排出通路７の球出口の真下に位置する。遊技釘２７としては、第１連釘２８、第２連釘２９、命釘３０を例示する。第１連釘２８および第２連釘２９は、見切り踊場併有遊技部品１よりも下方であって、多数本の釘によって、左側から右に行くに従って下り勾配となる傾斜路を構成し、遊技領域２３における見切り踊場併有遊技部品１よりも左の部分を下方に向けて通過した球を、図柄始動部品２６の球入口に向けて誘導する。第１連釘２８と第２連釘２９との間には、隙間３１が形成される。隙間３１は、１個の球が落下可能であるが、複数の球が横方向に並んで同時に通過できない、間隔である。命釘３０は、見切り踊場併有遊技部品１と図柄始動部品２６との間に位置し、図柄始動部品２６の球入口への球の入り易さを調整するものであって、左右に相対峙する一対である。
【０００６】
図７を参照し、公知の見切り踊場併有遊技部品１の不都合について説明する。図７のａ図において、図柄始動部品２６と命釘３０との間の上下方向の間隔Ｈ１は、球が通過できない寸法になっている。見切り踊場併有遊技部品１と命釘３０との間の上下方向の間隔Ｈ２は、球が通過できる寸法になっている。実線で示す球Ｐが矢印Ｘ１で示すように第１連釘２８の上を図柄始動部品２６の方に流下して例えば隙間３１に落下しつつ第２連釘２９における最左側に位置する釘に衝突し、この衝突した仮想線で示す球Ｐが矢印Ｘ２で示すように上方に跳ね返ることがある。そして、図７のｂ図において、上方に跳ね返った球Ｐが矢印Ｘ３で示すように球踊場６の方に弧を描いて移動して球踊場６の上に乗ることがある。このように、球Ｐが、見切り踊場併有遊技部品１に球の入る部分として設けられた球導入通路５以外の部分から球踊場６に乗ると、球が球踊場６から図柄始動部品２６に入る可能性があり、球導入通路５から球踊場６を経由して図柄始動部品２６に入る可能性として、見切り踊場併有遊技部品１に設定された図柄始動部品２６への入賞可能性が不安定になるという欠点がある。
【０００７】
そのようなことから、図７のａ図およびｂ図に仮想線で示す球飛入防止壁１０を設けることが考えられる。球飛入防止壁１０は、球踊場６の前縁部から上方に板状に突出するように、見切り踊場併有遊技部品１に設けられる。よって、上方に跳ね返った球Ｐが矢印Ｘ３で示すように球踊場６の方に弧を描いて移動したとしても、該球Ｐは球飛入防止壁１０に遮られ球踊場６に乗ることがなく、該球Ｐは球飛入防止壁１０から下方に落下する。しかしながら、球飛入防止壁１０が球踊場６の前縁部から上方に突出する構造であるため、遊技盤２１を前側から見た場合、球飛入防止壁１０が画像表示器２５の画面の一部を遮ることになるという欠点があり、にわかに採用しがたいものである。
【特許文献１】特開２００３−３２５８００号公報
【発明の開示】
【発明が解決しようとする課題】
【０００８】
発明が解決しようとする問題点は、見切り踊場併有遊技部品に設定された図柄始動部品への入賞可能性が不安定であるという点である。
【課題を解決するための手段】
【０００９】
本発明に係るパチンコ遊技機の見切り踊場併有遊技部品は、遊技盤に取り付けるための土台を構成する取付基盤と、遊技盤の裏側に配置された画像表示器の画面を遊技盤の前側から見えるようにする図柄視認部と、球を遊技盤の前面における遊技領域から図柄視認部の側に入らないように図柄視認部を囲むように取付基盤の前面から前側に突出する隔壁と、上に乗った球を左右に踊らせるように図柄視認部よりも下方で取付基盤から裏側に突出した球踊場と、遊技領域から球を取付基盤の裏側に誘導して球踊場に排出する球導入通路と、球踊場で踊る球を球踊場から下方の始動部品に向けて落下させる球排出通路と、球排出通路に取り込まれない球を球踊場から下方の始動部品を外れるように落下させる球落下部とを備えた見切り踊場併有遊技部品において、球の遊技領域から球踊場への飛び入りを防止するための球飛入防止壁が、球踊場の前縁部または取付基盤の前面から前側に突出した突起として設けられたことを最も主要な特徴とする。本発明に係るパチンコ遊技機は、上記見切り踊場併有遊技部品と、見切り踊場併有遊技部品の取り付けられた遊技盤と、遊技盤が格納される可動枠と、可動枠の前側にヒンジで開閉可能に取り付けられた前扉と、遊技盤の遊技領域を前側から見せるために前扉に前後方向への貫通孔として設けられた窓と、窓を塞ぐように前扉の裏面に設けられた光透過性の有る前面パネルとを備え、前扉が可動枠に対して閉じられることによって、見切り踊場併有遊技部品の球飛入防止壁が前面パネルと対向する一方、遊技盤に前側に突出する反りが発生した場合、遊技盤に設けられた遊技釘が前面パネルに接触しないように、球飛入防止壁が前面パネルに接触することを最も主要な特徴とする。
【発明の効果】
【００１０】
本発明に係るパチンコ遊技機の見切り踊場併有遊技部品は、球踊場の前縁部または取付基盤の前面から前側に突出した突起として設けられた構造であるので、球が遊技領域に見切り踊場併有遊技部品と別に設けられた遊技部品に衝突して跳ね返されても球飛入防止壁から下方に落下し、該球が球飛入防止壁に遮られて球踊場に乗るような不都合も解消できるという利点があり、遊技盤を前側から見た場合、球飛入防止壁が画像表示器の画面を遮るような不都合も解消できるという利点がある。本発明に係るパチンコ遊技機は、前扉が可動枠に対して閉じられることによって、見切り踊場併有遊技部品の球飛入防止壁が前面パネルと対向する一方、遊技盤に前側に突出する反りが発生した場合、遊技盤に設けられた遊技釘が前面パネルに接触しないように、球飛入防止壁が前面パネルに接触する構造であるので、前面パネルに遊技釘の接触跡が付くような不都合が解消できるという利点がある。
【発明を実施するための最良の形態】
【００１１】
図１乃至図５は、発明を実施するための最良の形態である。図１のａ図は、見切り踊場併有遊技部品１の特徴的な部分の正面を示す。図１のｂ図は、図１のａ図をＡ−Ａ線に沿い切断した断面を示す。図２および図３は、見切り踊場併有遊技部品１の特徴的な部分の外観を示す。図４は、パチンコ遊技機における遊技盤２１の正面を示す。図５は、遊技盤２１における遊技機枠５１の正面を示す。本明細書において、「前」、「表」、「後」、「裏」、「左」、「右」、「上」、「下」の方向は、図４のようにパチンコ遊技機を正面から見た場合に特定される方向である。「前」および「表」は、同じ方向である。「後」および「裏」は、同じ方向である。
【００１２】
図２および図３を参照し、見切り踊場併有遊技部品１の特徴的な構造について説明する。見切り踊場併有遊技部品１には、球飛入防止壁１１；１２；１３が、球の遊技領域２３から球踊場６への飛び入りを防止するために、球踊場６の前縁部または取付基盤２の前面から前側に突出した突起として設けられる。球飛入防止壁１１は、左の球落下部８から左側に延びる。球飛入防止壁１２は、左右の球落下部８の間に位置し、球排出通路７の球出口よりも上方で、正面から見て、上に凸になる弧状である。球飛入防止壁１３は、右の球落下部８から右側に延びる。よって、左の球飛入防止壁１１と中央の球飛入防止壁１２との間には、左の球落下部８が配置される。中央の球飛入防止壁１２と右の球飛入防止壁１１との間には、右の球落下部８が配置される。仮想線Ｌ１は、球踊場６と球飛入防止壁１２との境を示すものである。
【００１３】
図１を参照し、見切り踊場併有遊技部品１の動作について説明する。図１のｂ図に示すように、球飛入防止壁１１は、球踊場６の前縁部または取付基盤２の前面から前側に突出した突起として設けられた構造である。このため、図１のａ図において、実線で示す球Ｐが矢印Ｘ１で示すように第１連釘２８の上を図柄始動部品２６の方に流下して例えば隙間３１に落下しつつ第２連釘２９における最左側に位置する釘に衝突し、この衝突した球Ｐが図１のａ図およびｂ図に示すように矢印Ｘ２で示すように球踊場６の方に向けて上方に跳ね返ることがある。このように上方に跳ね返った球Ｐの上には、球飛入防止壁１１が存在する。このため、上方に跳ね返った球Ｐは球飛入防止壁１１から下方に落下し、該球Ｐが球飛入防止壁１１に遮られて球踊場６に乗るような不都合が解消できるという利点があり、球導入通路５から球踊場６に乗った球の動きが邪魔されることなく適切な態様になるという利点があり、さらに、遊技盤２１を前側から見た場合、球飛入防止壁１１が画像表示器２５の画面を遮るような不都合が解消できるという利点がある。図１のｂ図に示すように、球飛入防止壁１１の遊技領域２３から前側への突出寸法Ｈ３は、遊技釘２７、第１連釘２８、第２連釘２９、命釘３０などの遊技領域２３から前側への突出寸法Ｈ４よりも大きい（Ｈ３＞Ｈ４）。また、遊技盤２１が図５の遊技機枠５１の内部に格納され前扉５４が閉じられた場合、遊技盤２１の前側には、図１のｂ図に示すように、前面パネル５８が存在する。遊技領域２３と前面パネル５８との間の空間６２は、球Ｐが落下する空間である。そして、遊技盤２１が前側に突出するように反った場合、球飛入防止壁１１が前面パネル５８に接触し、遊技釘２７、第１連釘２８、第２連釘２９、命釘３０などが前面パネル５８に接触することがない。その結果、前面パネル５８に遊技釘２７、第１連釘２８、第２連釘２９、命釘３０などの接触跡が付くような不都合も解消できるという利点がある。
【００１４】
図４を参照し、遊技盤２１の全体的な構造について説明する。遊技盤２１の遊技領域２３は、遊技盤２１の前面の内ガイドレール３２および外ガイドレール３３で囲まれた内側の部分であって、遊技機枠５１（図５参照）の前側から前面パネル５８（図５参照）を経由して視認される。遊技領域２３には、球発射通路３４が接続される。球発射通路３４は、内ガイドレール３２の左側部と外ガイドレール３３の左側部との間の隙間として構成される。遊技領域２３には、遊技部品が設けられる。遊技領域２３に設けられる遊技部品としては、見切り踊場併有遊技部品１、画像表示器２５、遊技釘２７、第１連釘２８、第２連釘２９、命釘３０、隙間３１、球戻り防止弁３５、球反発部品３６、風車３７、普図表示器３８、特図表示器３９、一般入賞部品４０、普図始動部品４１、特図始動部品４２；４３、可変入賞部品４４、アウト口４５などである。特図始動部品４２は、図６の図柄始動部品２６に相当する。特図始動部品４３は、左右に開閉する一対の羽根４６を備える。可変入賞部品４４は、開閉体４７を備える。見切り踊場併有遊技部品１の右外縁部と球反発部品３６や内ガイドレール３２および外ガイドレール３３との間には、球通路４８が形成される。
【００１５】
図５を参照し、パチンコ遊技機の遊技機枠５１の構造について説明する。遊技機枠５１は、固定枠５２の前側に可動枠５３を開閉可能に備え、可動枠５３の前側に前扉５４および皿構造体５５を開閉可能に備える。固定枠５２は、外枠とも呼ばれ、図外の遊技機設置構造体に固定される。遊技機設置構造体は、遊技店のパチンコ遊技機を設置する島とも呼ばれる設備である。可動枠５３は、遊技盤２１や図外の制御装置など遊技に必要な部品を取り付ける前枠とも呼ばれる。可動枠５３は、左側に位置するヒンジ５６を中心とし、固定枠５２の前側で前側に開かれかつ後側に閉じられるように、片開き可能である。前扉５４および皿構造体５５は、個別に、左側に位置する図外のヒンジを中心とし、可動枠５３の前側で前側に開かれかつ後側に閉じられるように、片開き可能である。前扉５４は、パネル枠とも呼ばれ、前後方向に貫通する窓５７を備える。窓５７は、前面パネル５８で塞がれる。前面パネル５８は、前扉５４の裏面に設けられた光透過性の有る無色なガラスのような板状の部材である。皿構造体５５の前面には、球受皿部５９、球発射操作機構６０が設けられる。可動枠５３の閉じられた皿構造体５５で覆い隠される前面には、球発射機構６１が設けられる。
【００１６】
遊技領域２３が前側に向けられるように、遊技盤２１が遊技機枠５１の内部に格納されるように可動枠５３に装着される。遊技機枠５１の裏側や遊技盤２１の裏側に設けられた図外の制御装置が供給された電力によって起動し、遊技者がパチンコ球と呼ばれる球を球受皿部５９に入れ、遊技者が球発射操作機構６０を右側に回転するように操作すると、制御装置が球発射機構６１を球発射操作機構６０の操作量に応じた発射力で駆動するように制御し、球発射機構６１が球受皿部５９から遊技機枠５１の内部に取り込まれた球を１個ずつ球発射通路３４に向けて発射する。球発射通路３４に発射された球は、球発射通路３４を上昇し、球戻り防止弁３５を押し開けて遊技領域２３に到達する。遊技領域２３に到達した球は、遊技領域２３を流下する過程において、遊技部品に衝突して、流れる方向を変えながら、一般入賞部品４０、普図始動部品４１、特図始動部品４２；４３のいずれかに入る。一般入賞部品４０に入賞した球は、当該一般入賞部品４０に対して設けられた図外の一般入賞球検出器で検出され、遊技盤２１の裏側に排出される。一般入賞球検出器は、一般入賞信号を制御装置に出力する。一般入賞信号が制御装置に入力されると、制御装置が入力された一般入賞信号に対応する個数の賞球を払い出すように図外の球払出機構を制御し、球払出機構が賞球としての球を遊技者に払い出すべく球受皿部５９に払い出す。
【００１７】
普図始動部品４１に入った球は、普図始動部品４１に対して設けられた図外の普図始動球検出器で検出され、遊技盤２１の裏側に行くことなく遊技領域２３に排出される。普図始動球検出器は、普通図柄始動信号を制御装置に出力する。普通図柄始動信号が制御装置に入力されると、制御装置が普通図柄に対する当り外れ抽選処理を行い、その抽選処理の結果を遊技者に知らせるべく普図表示器３８を制御する。普通図柄に対する当り外れの抽選処理の結果として当りが抽選された場合、制御装置は、普図表示器３８に図柄の変動表示を開始させた後、当りを表現する図柄を普図表示器３８に停止表示させる。当りを表現する図柄が普図表示器３８に停止表示することによって、普通図柄に対する遊技としての当りの確定したことが遊技者に通知される。普通図柄に対する当り外れの抽選処理の結果として外れが抽選された場合、制御装置は、普図表示器３８に図柄変動表示を開始させた後、外れを表現する図柄を普図表示器３８に停止表示させる。外れを表現する図柄が普図表示器３８に停止表示することによって、普通図柄に対する遊技としての外れの確定したことが遊技者に通知される。つまり、普図表示器３８が図柄の変動表示を開始した後に図柄を停止表示することによって、その停止表示された図柄が当りまたは外れを遊技者に知らせるための確定図柄である。確定図柄として当りを表現する図柄が普図表示器３８に停止表示されると、制御装置は特図始動部品４３を制御する。これによって、特図始動部品４３の羽根４６が開閉される。羽根４６の開放中に、球が遊技領域２３から特図始動部品４３に入る。
【００１８】
特図始動部品４２に入った球は、特図始動部品４２に対して設けられた図外の特図始動球検出器で検出され、遊技盤２１の裏側に排出される。特図始動部品４３に入った球は、特図始動部品４３に対して設けられた図外の特図始動球検出器で検出され、遊技盤２１の裏側に排出される。特図始動部品４２に対する特図始動球検出器または特図始動部品４３に対する特図始動球検出器は、特別図柄始動信号を制御装置に出力する。いずれか一方の特別図柄始動信号が制御装置に入力されると、制御装置は賞球払出処理と特別図柄に対する当り外れ抽選処理とを行う。この賞球払出処理では、制御装置が入力された特別図柄始動信号に対応する個数の賞球を払い出すように図外の球払出機構を制御し、球払出機構が賞球としての球を遊技者に払い出すべく球受皿部５９に払い出す。特別図柄に対する当り外れ抽選処理では、その抽選処理の結果を遊技者に知らせるべく画像表示器２５および特図表示器３９を制御する。特別図柄に対する当たり外れの抽選処理の結果として当りが抽選された場合、制御装置は、画像表示器２５および特図表示器３９に図柄の変動表示を開始させた後、当りを表現する図柄を画像表示器２５および特図表示器３９に停止表示させる。当りを表現する図柄が特図表示器３９に停止表示することによって、特別図柄に対する遊技としての当りの確定したことが遊技者に通知される。特別図柄に対する当たり外れの抽選処理の結果として外れが抽選された場合、制御装置は、画像表示器２５および特図表示器３９に図柄変動表示を開始させた後、外れを表現する図柄を画像表示器２５および特図表示器３９に停止表示させる。外れを表現する図柄が特図表示器３９に停止表示することによって、特別図柄に対する遊技としての外れの確定したことが遊技者に通知される。つまり、特図表示器３９が図柄の変動表示を開始した後に図柄を停止表示することによって、その停止表示された図柄が当りまたは外れを遊技者に知らせるための確定図柄である。
【００１９】
確定図柄として当りを表現する図柄が特図表示器３９に停止表示されると、制御装置は可変入賞部品４４を制御する。これによって、可変入賞部品４４の開閉体４７が開閉される。開閉体４７の開放中に、球が遊技領域２３から可変入賞部品４４に入る。可変入賞部品４４に入賞した球は、当該可変入賞部品４４に設けられた図外の可変入賞球検出器で検出され、遊技盤２１の裏側に排出される。可変入賞球検出器は、可変入賞信号を制御装置に出力する。可変入賞信号が制御装置に入力されると、制御装置は可変入賞計数処理と賞球払出処理を行う。可変入賞計数処理では、可変入賞信号が制御装置に入力されるごとに、制御装置は、可変入賞数量として１カウントアップし、１カウントアップした計数値を可変入賞数量として記憶し、記憶した可変入賞数量が制御装置に設定された設定可変入賞値に到達すると、開閉体４７を閉じた後に再び開く。その賞球払出処理では、制御装置が入力された可変入賞信号に対応する個数の賞球を払い出すように図外の球払出機構を制御し、球払出機構が賞球としての球を遊技者に払い出すべく球受皿部５９に払い出す。開閉体４７が開くごとに、制御装置は開閉計数処理を行う。開閉計数処理では、制御装置は、開閉回数として１カウントアップし、１カウントアップした計数値を開閉回数として記憶し、記憶した開閉回数が制御装置に設定された設定開閉回数に到達すると、開閉体４７を閉じる。これによって、可変入賞部品４４による大当り遊技が終了する。
【００２０】
確定図柄として外れを表現する図柄が特図表示器３９に停止表示されると、制御装置は可変入賞部品４４を制御しない。普図始動部品４１が取込形入賞部品として構成された場合、図柄始動信号が制御装置に入力されると、制御装置は普通図柄に対する当り外れ抽選処理および普図表示器３８の制御に加えて賞球払出処理を行う。この賞球払出処理では、制御装置は、入力された普通図柄始動信号に対応する個数の賞球を払い出すように図外の球払出機構を制御し、球払出機構が賞球としての球を遊技者に払い出すべく球受皿部５９に払い出す。一般入賞部品４０や普図始動部品４１または可変入賞部品４４に入らずに遊技領域２３の最下部に到達した球は、アウト口４５を経由して遊技盤２１の裏側に排出される。
【産業上の利用可能性】
【００２１】
普図始動部品４１に入った球が遊技盤２１の裏側に排出される場合、普図始動部品４１は取込形入賞部品であって図柄始動入賞部品と概念される。普図始動部品４１に入った球が遊技領域２３に排出される場合、普図始動部品４１は通過形部品であってチャッカと概念される。
【図面の簡単な説明】
【００２２】
【図１】ａ図は見切り踊場併有遊技部品の特徴的な部分の正面図、ｂ図はａ図のＡ−Ａ線断面図（最良の形態）。
【図２】見切り踊場併有遊技部品の特徴的な部分の斜視図（最良の形態）。
【図３】見切り踊場併有遊技部品の特徴的な部分の斜視図（最良の形態）。
【図４】遊技盤の正面図（最良の形態）。
【図５】遊技機枠の正面図（最良の形態）。
【図６】見切り踊場併有遊技部品の周りにおける遊技盤の斜視図（従来例）。
【図７】ａ図は見切り踊場併有遊技部品の周りにおける遊技盤の正面図、ｂ図のＢ−Ｂ線断面図（従来例）。
【符号の説明】
【００２３】
１    見切り踊場併有遊技部品
２    取付基盤
３    図柄視認部
４    隔壁
５    球導入通路
６    球踊場
７    球排出通路
８    球落下部
１１  球飛入防止壁
１２  球飛入防止壁
１３  球飛入防止壁
２１  遊技盤
２３  遊技領域
２５  画像表示器
２８  第１連釘
２９  第２連釘
３０  命釘
３１  隙間
４２  特図始動部品
【図１】
2007222361.tif 000003
【図２】
2007222361.tif 000004
【図３】
2007222361.tif 000005
【図４】
2007222361.tif 000006
【図５】
2007222361.tif 000007
【図６】
2007222361.tif 000008
【図７】
2007222361.tif 000009